(57)【要約】【課題】ユーザーがＮｉｎ１設定又は拡大連写設定の印刷条件を設定する場合に、容易に条件設定を行うことができる印刷設定装置を提供する。【解決手段】印刷設定装置は、表示画面に対するユーザーの入力操作を検出するタッチセンサ６ａと、その入力操作に対応する操作イベントを特定する操作検出部３４と、ユーザーによるタッチ操作が行われ、操作検出部３４により検出されたタッチ位置及びタッチ位置の移動に基づき、表示部５の表示画面上に表示されている印刷出力画像の表示数を、タッチ位置、並びにタッチ位置の移動方向及び移動量に応じて増加又は減少させ、１枚の記録シートに割り付けるページ数を更新することにより印刷設定を更新する印刷設定部３５と、を備える。【選択図】図３
2015053623.tif 000002
【特許請求の範囲】
【請求項１】
１ページ分又は複数ページ分の画像を含む印刷対象データを記憶する記憶手段と、
前記印刷対象データに含まれる画像を表示する表示手段と、
前記表示手段の表示画面に対応するタッチ位置及びタッチ位置の移動を検出する操作検出手段と、
前記操作検出手段によって検出される操作に基づいて前記表示手段における表示状態を更新すると共に、前記印刷対象データに対する印刷設定を行う印刷設定手段と、
を備え、
前記印刷設定手段は、前記印刷対象データに含まれる画像の割付状態を示す少なくとも１つの印刷出力画像を前記表示手段に表示している状態で、前記操作検出手段によりタッチ位置の移動が検出されることに伴い、当該タッチ位置の移動方向及び移動量に応じて前記印刷出力画像の表示数を増加又は減少させると共に、前記印刷出力画像の表示数に応じて前記割付状態を更新することを特徴とする印刷設定装置。
【請求項２】
前記印刷対象データは、複数ページ分の画像を含み、
前記印刷設定手段は、前記印刷出力画像の表示数に応じて前記印刷対象データに含まれる１又は複数ページ分の画像を１枚の記録シートに割り付けることにより割付状態を更新することを特徴とする請求項１に記載の印刷設定装置。
【請求項３】
前記印刷対象データは、１ページ分の画像を含み、
前記印刷設定手段は、前記印刷出力画像の表示数に応じて前記印刷対象データに含まれる前記１ページ分の画像を分割して複数枚の記録シートに割り付けることにより割付状態を更新することを特徴とする請求項１又は２に記載の印刷設定装置。
【請求項４】
前記印刷設定手段は、前記タッチ位置の移動前の始点からの距離の増加又は減少に比例して前記印刷出力画像の表示数を増加又は減少させることを特徴とする請求項１乃至３のいずれかに記載の印刷設定装置。
【請求項５】
前記印刷設定手段は、前記タッチ位置の移動方向及び移動量に応じて前記印刷出力画像の表示数を増加又は減少させるとき、前記印刷対象データに含まれる画像のページ数に応じて増加量又は減少量を決定することを特徴とする請求項１乃至４のいずれかに記載の印刷設定装置。
【請求項６】
前記印刷設定手段は、前記タッチ位置の移動方向に応じて、前記印刷対象データに含まれる１又は複数ページ分の画像を１枚の記録シートに割り付ける第１の割付処理と、前記印刷対象データに含まれる１ページ分の画像を分割して複数枚の記録シートに割り付ける第２の割付処理とを切り替えて実行することを特徴とする請求項１乃至５のいずれかに記載の印刷設定装置。
【請求項７】
前記印刷設定手段は、複数の前記印刷出力画像を前記表示手段に表示している状態で、前記操作検出手段により前記複数の印刷出力画像に含まれる２つの印刷出力画像の表示位置に対応した２点のタッチ位置が検出されると共に、該２点間の距離の拡大又は縮小が検出されることに伴い、前記２つの印刷出力画像の間に表示する前記印刷出力画像の表示数を増加又は減少させ、前記２つの印刷出力画像の間において前記割付状態を更新することを特徴とする請求項１乃至６のいずれかに記載の印刷設定装置。
【請求項８】
前記印刷設定手段は、前記印刷データに含まれる画像の割付状態を示す少なくとも１つの印刷出力画像を前記表示手段に表示している状態で、前記操作検出手段により前記印刷出力画像に割り付けられた互いに隣接する２つのページに対応した２点のタッチ位置が検出されると共に、該２点間の距離の拡大が検出されることに伴い、前記２つのページの間に空白のページを挿入し、前記割付状態を更新することを特徴とする請求項１乃至７のいずれかに記載の印刷設定装置。
【請求項９】
１ページ分又は複数ページ分の画像を含む印刷対象データを記憶する記憶手段と、前記印刷対象データに含まれる画像を表示する表示手段とを有するコンピュータにおいて実行されるプログラムであって、
前記コンピュータを、
前記表示手段の表示画面に対応するタッチ位置及びタッチ位置の移動を検出する操作検出手段、及び、
前記操作検出手段によって検出される操作に基づいて前記表示手段における表示状態を更新すると共に、前記印刷対象データに対する印刷設定を行う印刷設定手段、
として機能させ、
前記印刷設定手段は、前記印刷対象データに含まれる画像の割付状態を示す少なくとも１つの印刷出力画像を前記表示手段に表示している状態で、前記操作検出手段によりタッチ位置の移動が検出されることに伴い、当該タッチ位置の移動方向及び移動量に応じて前記印刷出力画像の表示数を増加又は減少させると共に、前記印刷出力画像の表示数に応じて前記割付状態を更新することを特徴とするプログラム。
【発明の詳細な説明】
【技術分野】
【０００１】
本発明は、印刷設定装置及びプログラムに関する。
【背景技術】
【０００２】
従来、ＭＦＰやプリンタなどの印刷条件の設定において、コスト削減等の観点から、印刷対象における複数ページを１枚の印刷用紙などの記録シートに割り付けてプリントアウトするＮｉｎ１設定が採用されている。そして、Ｎｉｎ１設定による印刷条件を設定する際、設定作業の煩雑さを解消するための提案がなされている。例えば、特許文献１では、プレビュー画面上で、Ｎｉｎ１設定による印刷の対象となるページを移動させ、他のページと隣接させることで、それらのページを結合させてＮｉｎ１設定による印刷を実現する技術が開示されている。
【先行技術文献】
【特許文献】
【０００３】
【特許文献１】特開２０１１−１３８２３７号公報
【発明の概要】
【発明が解決しようとする課題】
【０００４】
しかしながら、特許文献１にかかる従来技術によると、例えば８ｉｎ１の構成による印刷を行おうとする場合、ユーザーは、プレビュー画面において、第２ページのイメージ画像を第１ページのイメージ画像に接する位置まで移動させる作業を３回繰り返す必要がある。また、例えば１６ｉｎ１の構成による印刷を行おうとする場合、ユーザーは、プレビュー画面において、前記作業を４回繰り返す必要がある。そのため、Ｎｉｎ１設定の印刷条件とするための設定作業の繁雑さを解消できていない。
【０００５】
ところで、印刷設定はＮｉｎ１設定のみではなく、印刷対象データに含まれる画像を複数に分割し、各分割画像を拡大して複数枚の記録シートに分割して割り付ける設定（拡大連写設定）もある。そしてユーザーが拡大連写設定を行う際にも設定作業の煩雑さを解消することが望まれる。
【０００６】
そこで本発明は、上記のような従来の問題点を解決すべく、Ｎｉｎ１設定又は拡大連写設定の印刷条件を設定する場合に、設定作業を簡素化することにより容易に条件設定を行うことができる印刷設定装置及びプログラムを提供することを目的とするものである。
【課題を解決するための手段】
【０００７】
上記目的を達成するため、請求項１に係る発明は、印刷設定装置であって、１ページ分又は複数ページ分の画像を含む印刷対象データを記憶する記憶手段と、前記印刷対象データに含まれる画像を表示する表示手段と、前記表示手段の表示画面に対応するタッチ位置及びタッチ位置の移動を検出する操作検出手段と、前記操作検出手段によって検出される操作に基づいて前記表示手段における表示状態を更新すると共に、前記印刷対象データに対する印刷設定を行う印刷設定手段と、を備え、前記印刷設定手段は、前記印刷対象データに含まれる画像の割付状態を示す少なくとも１つの印刷出力画像を前記表示手段に表示している状態で、前記操作検出手段によりタッチ位置の移動が検出されることに伴い、当該タッチ位置の移動方向及び移動量に応じて前記印刷出力画像の表示数を増加又は減少させると共に、前記印刷出力画像の表示数に応じて前記割付状態を更新することを特徴とする構成である。
【０００８】
請求項２に係る発明は、請求項１に記載の印刷設定装置において、前記印刷対象データは、複数ページ分の画像を含み、前記印刷設定手段は、前記印刷出力画像の表示数に応じて前記印刷対象データに含まれる１又は複数ページ分の画像を１枚の記録シートに割り付けることにより割付状態を更新することを特徴とする構成である。
【０００９】
請求項３に係る発明は、請求項１又は２に記載の印刷設定装置において、前記印刷対象データは、１ページ分の画像を含み、前記印刷設定手段は、前記印刷出力画像の表示数に応じて前記印刷対象データに含まれる前記１ページ分の画像を分割して複数枚の記録シートに割り付けることにより割付状態を更新することを特徴とする構成である。
【００１０】
請求項４に係る発明は、請求項１乃至３のいずれかに記載の印刷設定装置において、前記印刷設定手段は、前記タッチ位置の移動前の始点からの距離の増加又は減少に比例して前記印刷出力画像の表示数を増加又は減少させることを特徴とする構成である。
【００１１】
請求項５に係る発明は、請求項１乃至４のいずれかに記載の印刷設定装置において、前記印刷設定手段は、前記タッチ位置の移動方向及び移動量に応じて前記印刷出力画像の表示数を増加又は減少させるとき、前記印刷対象データに含まれる画像のページ数に応じて増加量又は減少量を決定することを特徴とする構成である。
【００１２】
請求項６に係る発明は、請求項１乃至５のいずれかに記載の印刷設定装置において、前記印刷設定手段は、前記タッチ位置の移動方向に応じて、前記印刷対象データに含まれる１又は複数ページ分の画像を１枚の記録シートに割り付ける第１の割付処理と、前記印刷対象データに含まれる１ページ分の画像を分割して複数枚の記録シートに割り付ける第２の割付処理とを切り替えて実行することを特徴とする構成である。
【００１３】
請求項７に係る発明は、請求項１乃至６のいずれかに記載の印刷設定装置において、前記印刷設定手段は、複数の前記印刷出力画像を前記表示手段に表示している状態で、前記操作検出手段により前記複数の印刷出力画像に含まれる２つの印刷出力画像の表示位置に対応した２点のタッチ位置が検出されると共に、該２点間の距離の拡大又は縮小が検出されることに伴い、前記２つの印刷出力画像の間に表示する前記印刷出力画像の表示数を増加又は減少させ、前記２つの印刷出力画像の間において前記割付状態を更新することを特徴とする構成である。
【００１４】
請求項８に係る発明は、請求項１乃至７のいずれかに記載の印刷設定装置において、前記印刷設定手段は、前記印刷データに含まれる画像の割付状態を示す少なくとも１つの印刷出力画像を前記表示手段に表示している状態で、前記操作検出手段により前記印刷出力画像に割り付けられた互いに隣接する２つのページに対応した２点のタッチ位置が検出されると共に、該２点間の距離の拡大が検出されることに伴い、前記２つのページの間に空白のページを挿入し、前記割付状態を更新することを特徴とする構成である。
【００１５】
請求項９に係る発明は、１ページ分又は複数ページ分の画像を含む印刷対象データを記憶する記憶手段と、前記印刷対象データに含まれる画像を表示する表示手段とを有するコンピュータにおいて実行されるプログラムであって、前記コンピュータを、前記表示手段の表示画面に対応するタッチ位置及びタッチ位置の移動を検出する操作検出手段、及び、前記操作検出手段によって検出される操作に基づいて前記表示手段における表示状態を更新すると共に、前記印刷対象データに対する印刷設定を行う印刷設定手段、として機能させ、前記印刷設定手段は、前記印刷対象データに含まれる画像の割付状態を示す少なくとも１つの印刷出力画像を前記表示手段に表示している状態で、前記操作検出手段によりタッチ位置の移動が検出されることに伴い、当該タッチ位置の移動方向及び移動量に応じて前記印刷出力画像の表示数を増加又は減少させると共に、前記印刷出力画像の表示数に応じて前記割付状態を更新することを特徴とする構成である。
【発明の効果】
【００１６】
本発明によれば、表示画面に対応するタッチ位置の移動が検出されることにより、当該タッチ位置の移動方向及び移動量に応じて印刷出力画像の表示数が増減し、これに伴って印刷対象データに含まれる画像の割付状態が更新される。そのため、印刷対象データに含まれる画像の割付状態を効率的に更新することができる。
【図面の簡単な説明】
【００１７】
【図１】印刷設定装置の外観構成の一例を示す図である。
【図２】印刷設定装置のハードウェア構成の一例を示すブロック図である。
【図３】ＣＰＵで実現される機能ブロックの一例を示す図である。
【図４】Ｎｉｎ１設定を行う際の操作方法の一例を示す図である。
【図５】Ｎｉｎ１設定による印刷設定の更新の一例を示す図である。
【図６】印刷設定装置において行われるＮｉｎ１設定の処理手順の一例を示すフローチャートである。
【図７】ピンチアウト処理又はピンチイン処理の処理手順の一例を示すフローチャートである。
【図８】複数の印刷出力画像に跨ってピンチアウト操作が行われた場合の操作の一例を示す図である。
【図９】複数の印刷出力画像に跨ってピンチイン操作が行われた場合の操作の一例を示す図である。
【図１０】１つの印刷出力画像内でピンチアウト操作が行われた場合の操作の一例を示す図である。
【図１１】１つの印刷出力画像内でピンチイン操作が行われた場合の操作の一例を示す図である。
【図１２】図５とは別の操作方法でＮｉｎ１設定を行う際の操作方法の一例を示す図である。
【図１３】印刷設定装置において行われる拡大連写設定の処理手順の一例を示すフローチャートである。
【図１４】拡大連写設定を行う際の操作方法の一例を示す図である。
【図１５】拡大連写設定を行う際の操作方法の一例を示す図である。
【図１６】拡大連写設定を行う際の操作方法の一例を示す図である。
【図１７】Ｎｉｎ１設定と拡大連写設定とを切り替えて実行する場合の操作の一例を示す図である。
【発明を実施するための形態】
【００１８】
以下、本発明に関する好ましい実施形態について図面を参照しつつ詳細に説明する。尚、以下に説明する実施形態において互いに共通する部材には同一符号を付しており、それらについての重複する説明は省略する。
【００１９】
図１は、本実施形態において印刷設定装置１として機能するＭＦＰ（Multifunction peripheral）１００の外観構成の一例を示す図である。このＭＦＰ１００は、スキャン機能やプリント機能、コピー機能、ＦＡＸ機能、ネットワーク機能、電子メール送受信機能などの様々な機能を備えており、出力時の印刷設定を行う際に印刷設定装置１として機能する。このＭＦＰ１００は、装置本体の上部に、スキャンジョブを実行するときに動作するスキャナ部２を備えている。スキャナ部２は、原稿の画像を光学的に読み取る画像読取部２ａと、画像読取部２ａに対して原稿を１枚ずつ自動搬送する原稿搬送部２ｂとを備えて構成され、ユーザーによってセットされた原稿を読み取って画像データを生成する。また印刷設定装置１は、装置本体の中央下部に、プリントジョブを実行するときに動作するプリンタ部３を備えている。プリンタ部３は、入力する画像データに基づいて電子写真方式などによる画像形成を行って出力する画像形成部３ａと、その画像形成部３ａに対して印刷用紙などのシート材を１枚ずつ給紙搬送する給紙搬送部３ｂとを備えて構成され、ユーザーによって指定された画像データに基づいて印刷出力を行う。
【００２０】
また、ＭＦＰ１００の正面側には、ユーザーがＭＦＰ１００を使用する際にユーザーインタフェースとして機能する操作パネル４が設けられている。この操作パネル４は、ユーザーに対して各種情報を表示する表示部５と、ユーザーが操作入力を行うための操作部６とを備えている。表示部５は、例えば所定の画面サイズを有するカラー液晶ディスプレイなどで構成され、様々な表示画面を表示することができる。操作部６は、表示部５の画面上に配置されるタッチセンサ６ａと、表示部５の画面周囲に配置される複数の押しボタン式の操作キー６ｂとを備えて構成される。したがって、ユーザーは、表示部５に表示される表示画面を参照しながら、操作部６に対して様々な入力操作を行うことにより、ＭＦＰ１００に対してジョブの実行のための設定操作を行ったり、或いはジョブの実行を指示したりすることができる。
【００２１】
表示部５の画面上に配置されるタッチセンサ６ａは、ユーザーによるシングルタッチ操作だけでなく、マルチタッチ操作も検出することができるものである。シングルタッチ操作とは、表示部５の表示画面上の１点をタッチする操作であり、例えばシングルタップやダブルタップ、ロングタップ、スライド、フリック、ドラッグなどの操作が含まれる。マルチタッチ操作は、表示部５の表示画面上の複数点を同時にタッチする操作であり、例えばピンチインやピンチアウトなどのピンチ操作やローテーション操作などが含まれる。このタッチセンサ６ａは、表示部５の表示画面上における少なくとも１点がタッチされると、そのタッチ位置を特定することができると共に、その後、そのタッチ状態のリリースや、タッチ位置の移動を検出することができるようになっている。そのため、ユーザーは、表示部５の表示画面に対して様々なジェスチャ操作を行いながらジョブの設定などを行うことが可能である。
【００２２】
尚、表示部５の画面周囲に配置される操作キー６ｂは、例えばジョブの名称が付されたキーや、０から９の数字が付されたテンキーなどで構成される。それらの操作キー６ｂは、単にユーザーによる押し込み操作だけを検知するものである。
【００２３】
図２は、ＭＦＰ１００のハードウェア構成の一例を示すブロック図である。ＭＦＰ１００は、上述したスキャナ部２、プリンタ部３、操作パネル４の他、図２に示すように、制御部１０と、ＦＡＸ部２０と、ネットワークインタフェース２１と、無線インタフェース２２と、記憶装置２３とを備えており、それら各部がデータバス１９を介して相互にデータの入出力を行うことができる構成である。
【００２４】
制御部１０は、図２に示す操作パネル４、スキャナ部２、プリンタ部３、ＦＡＸ部２０、ネットワークインタフェース２１、無線インタフェース２２および記憶装置２３のそれぞれを統括的に制御するものである。ＦＡＸ部２０は、図示を省略する公衆電話回線を介してＦＡＸデータの送受信を行うものである。ネットワークインタフェース２１は、ＭＦＰ１００をＬＡＮ（Local Area Network）などのネットワークに接続するためのインタフェースである。無線インタフェース２２は、外部の装置とＮＦＣ（Near Field Communication）などによる無線通信を行うためのインタフェースである。記憶装置２３は、例えばハードディスクドライブ（ＨＤＤ）やソリッドステートドライブ（ＳＳＤ）などで構成される不揮発性の記憶手段であり、ネットワークを介して受信する画像データや、スキャナ部２によって生成された画像データ、その他の印刷対象データを一時的に保存しておくことができる。
【００２５】
また図２に示すように、制御部１０は、ＣＰＵ１１と、ＲＯＭ１２と、ＲＡＭ１４とを備えて構成される。ＣＰＵ１１は、印刷設定装置１に電源が投入されることに伴い、ＲＯＭ１２に格納されているプログラム１３を読み出して実行する。これにより、制御部１０は、上述したように各部の制御動作を開始する。特に、ＣＰＵ１１は、ＭＦＰ１００においてジョブが実行される際に各部の動作を制御するだけでなく、ユーザーが操作パネル４に対して印刷出力時の印刷設定操作を行う際には、プログラム１３に基づく処理を行うことにより、ＭＦＰ１００を印刷設定装置１として機能させる。このとき、ＣＰＵ１１は、印刷設定操作時にユーザーインタフェースとなる操作パネル４の動作などを統括的に制御する。すなわち、ＣＰＵ１１は、操作パネル４の表示部５に表示する表示画面を切り替える制御を行うと共に、タッチセンサ６ａ及び操作キー６ｂによってユーザーの入力操作が検出された場合に、その入力操作がどのような操作イベントであるかを特定し、その特定した操作イベントに対応する制御を実行する。操作イベントとは、ユーザーの入力操作によって発生するイベントであり、例えばタッチセンサ６ａに対する入力操作ではシングルタップ、ダブルタップ、ロングタップ、スライド、フリック、ドラッグ、ピンチイン、ピンチアウト、ローテーションなどの複数の操作イベントが存在する。
【００２６】
ＲＯＭ１２は不揮発性のメモリであり、上述したプログラム１３の他、様々なデータなどが記憶される。ＲＯＭ１２に記憶されるプログラム１３には、操作パネル４の基本アプリケーションであるオペレーティングシステムや、ユーザーが利用する複数のアプリケーションプログラム等が含まれる。ＲＡＭ１４は、ＣＰＵ１１による作業用の記憶領域を提供するメモリであり、例えばＣＰＵ１１がプログラム１３を実行することにより発生する一時的なデータ等を記憶する。
【００２７】
次に図３は、ＣＰＵ１１がＭＦＰ１００を印刷設定装置１として機能させるときに実現される機能ブロックの一例を示す図である。図３に示すように、ＣＰＵ１１は、表示制御部３２、操作検出部３４及び印刷設定部３５として機能する。表示制御部３２、操作検知部３４及び印刷設定部３５は、それぞれが連携して動作することにより、ユーザーがＮｉｎ１設定や拡大連写設定を行うときの操作性を向上させるものである。
【００２８】
表示制御部３２は、ユーザーの指示に基づいて記憶装置２３に保存されている印刷対象データを読み出し、当該印刷対象データに含まれる画像を選択して表示部５へ出力することにより、その選択した画像を表示部５にプレビュー表示するものである。例えば、ユーザーが複数ページ分の画像を含む印刷対象データに含まれる１又は複数ページ分の画像を１枚の印刷用紙などの記録シートに割り付ける処理（Ｎｉｎ１設定）を指示した場合、表示制御部３２は、Ｎｉｎ１設定の初期画面を選択して表示部５に表示する。その後、表示制御部３２は、印刷設定部３５からの指示に基づいて表示部５の表示画面を逐次更新していく。
【００２９】
操作検出部３４は、操作パネル４のタッチセンサ６ａが表示画面に対するユーザーの入力操作（タッチ操作）を検出した場合に、その入力操作に対応する操作イベントを特定する処理部である。例えば処理手順の一例として、タッチセンサ６ａによってユーザーのタッチ操作が検出されると、そのタイミングで操作検出部３４は、表示画面上のタッチ位置及びタッチ位置の移動から操作イベントを判定するルーチンを起動することにより、ユーザーのタッチ位置及びタッチ位置の移動に対応する操作イベントを判定する。
【００３０】
印刷設定部３５は、ユーザーが操作パネル４に対する操作を行った場合に、その操作に基づき表示部５における表示状態を更新すると共に、印刷対象データに対する印刷設定を行う処理部である。すなわち、タッチセンサ６ａに対するＮｉｎ１設定や拡大連写設定を指示するタッチ操作が行われ、操作検出部３４によりタッチ位置及びタッチ位置の移動が検出されると、印刷設定部は、表示部５の表示画面上に表示されている印刷出力画像の表示数を、タッチ位置、並びにタッチ位置の移動方向及び移動量に応じて増加又は減少させる。ここで印刷出力画像とは、記録シート１枚に対し、印刷対象データに含まれる１ページ分又は複数ページ分の画像がどのように割り付けられた状態で印刷出力が行われるかをプレビュー表示するための画像である。したがって、１つの印刷出力画像は、プリントジョブの実行によって出力される記録シート１枚に対応している。このような印刷出力画像は、表示部５の表示画面上に表示される。
【００３１】
また、印刷設定部３５は、ユーザーによるタッチ操作が行われ、表示部５の表示画面上の印刷出力画像が増加又は減少することに応じて、１枚の記録シートに割り付けるページ数を更新することにより印刷設定を更新する。例えば、５５ページ分の印刷対象データについてユーザーによるＮｉｎ１設定が指示され、ユーザーのタッチ位置の移動方向及び移動量から、印刷出力画像の表示数が１枚から７枚に更新された場合、印刷設定部３５は、７枚の記録シートに５５ページ分の印刷対象データを印刷できるよう、１枚の記録シートに割り付けるページ数を８枚に更新する。
【００３２】
さらに、印刷設定部３５は、ユーザーのタッチ位置の移動前の始点からの移動距離に比例して、印刷出力画像の表示数を増加又は減少させてもよい。具体的な表示例については、後述する。
【００３３】
次に本実施形態において表示部５に表示されるＮｉｎ１設定の表示画面Ｇ１の具体例を示しつつ、Ｎｉｎ１設定について説明する。
【００３４】
図４（ａ）は、Ｎｉｎ１設定の初期画面の一例を示す図である。印刷設定部３５は、ユーザーによりＮｉｎ１設定の指示がなされると、初期画面として、Ｎｉｎ１設定のデフォルト値に基づいて、印刷対象データに含まれる全ページ分の画像が１枚の記録シートに割り付けられた状態の印刷出力画像Ｔ１を表示する。印刷設定を更新する場合には、図４（ｂ）に示すように、印刷出力画像Ｔ１上の２点をタッチした状態で、例えば中心点Ｃ１を軸として矢印Ｆ１方向にローテーション操作を行う。ここで、ローテーションとは、印刷出力画面上の２点をタッチした状態で、それら２点のタッチ位置又はいずれか一方のタッチ位置を回転させていくように移動させる操作を指すものである。図４（ｂ）において、印刷出力画像Ｔ１上の２点のタッチ位置は、中心点Ｃ１を軸として回転する。また、これに限られず、２点のタッチ位置のうちの１点を中心点Ｃ１としてローテーション操作が行われるものでもよい。ローテーション操作が行われると、操作検出部３４は、最初のタッチ位置を始点として、タッチ位置の回転方向及び回転角度を検出し、印刷設定部３５は、検出された回転方向及び回転角度に応じて印刷出力画像の表示数を増加又は減少させる。そして、この印刷出力画像の表示数に応じて印刷対象データの割付を更新することにより印刷設定を更新する。
【００３５】
図５は、Ｎｉｎ１設定による印刷設定の更新の一例を示す図である。図５（ａ）では、印刷出力画像Ｔ５乃至Ｔ１１が表示画面Ｇ１上に表示されており、印刷出力画像Ｔ５に印刷対象データに含まれる画像が８枚表示されている。すなわち、図５（ａ）の印刷設定の例では、７枚の記録シートに印刷対象データが印刷されるよう印刷設定が更新されており、各記録シートには、８ページずつ画像が割り付けられている（８ｉｎ１）。図５（ｂ）では、印刷出力画像Ｔ１５乃至Ｔ２９が表示画面Ｇ１上に表示されており、印刷出力画像Ｔ１５に印刷対象データに含まれる画像が４枚表示されている。すなわち、図５（ｂ）の印刷設定の例では、１５枚の記録シートに印刷対象データが印刷されるよう印刷設定が更新されており、各記録シートには、４ページずつ画像が割り付けられている（４ｉｎ１）。
【００３６】
このように、ローテーション操作によるタッチ位置の回転方向及び回転角度に応じて、表示部５に表示される印刷出力画像の表示数が増加又は減少する。本実施形態の場合、時計回りの方向に回転角度が増加するとそれに応じて印刷出力画像の表示数も増加し、回転角度が減少するとそれに応じて印刷出力画像の表示数も減少する。そして、印刷出力画像の表示数に応じて、印刷設定部３５は印刷対象データに含まれる画像の割付を更新することにより印刷設定を更新する。
【００３７】
また、例えば図５（ｂ）に示す印刷出力画像が表示されている状態において、印刷出力画像Ｔ１５乃至Ｔ２９上の２点をタッチし、タッチ位置を反時計回りに回転させると、回転角度の増加に応じて印刷出力画像の表示数が減少し、回転角度の減少に応じて印刷出力画像の表示数が増加する。そして、印刷主力画像の表示数に応じて、印刷設定部３５は印刷対象データに含まれる画像の割付を更新することにより印刷設定を更新する。
【００３８】
このように、ローテーション操作によりタッチ位置の回転方向及び回転角度に応じて印刷出力画像の表示数が増加又は減少し、それに応じて印刷対象データに含まれる画像の割付が更新されるため、簡便なタッチ操作によりＮｉｎ１設定を実行することができ、Ｎｉｎ１設定の実行における効率性を図ることが可能となる。また、表示画面Ｇ１上に、印刷出力画像と各印刷出力画像への印刷対象データに含まれる画像の割付状態が常時表示されるため、所望の割付状態となるよう容易に調整することが可能となる。
【００３９】
印刷出力画像の表示数の増加量又は減少量は、タッチ位置の回転方向及び回転角度に加えて、印刷対象データに含まれる画像のページ数に応じて決定されてもよい。例えば、ローテーション操作により、タッチ位置が時計回りの方向に９０度回転したときには８ｉｎ１設定を行い、１８０度回転したときには４ｉｎ１設定を行う、というように、回転角度に応じてＮｉｎ１設定の設定値が予め定められている場合、印刷対象データに含まれるページ数に応じてその回転角度範囲内に表示すべき印刷出力画像の枚数が変わる。具体例を挙げると、印刷対象データに含まれるページ数が１６ページのとき、ユーザーがタッチ位置を時計回りの方向に９０度回転させる操作を行うと、８ｉｎ１設定が行われるため、ローテーション操作の始点位置と終点位置とにおいて合計２枚の印刷出力画像が表示され、それら２枚の印刷対象画像に対して１６ページ分の画像が８ｉｎ１で割り付けられた状態となる。これに対し、印刷対象データに含まれるページ数が３２ページのとき、ユーザーがタッチ位置を時計回りの方向に９０度回転させる操作を行うと、上記と同様に８ｉｎ１設定が行われるため、ローテーション操作の始点位置と終点位置との間に合計４枚に印刷出力画像が表示され、それら４枚の印刷対象画像に対して３２ページ分の画像が８ｉｎ１で割り付けられた状態となる。したがって、タッチ位置の回転角度（移動量）に応じてＮｉｎ１設定の設定値が予め定められているときには、その回転角度に応じて印刷出力画像の表示数の増加量又は減少量を決定する際、上述したように、その増加量又は減少量を印刷対象データに含まれる画像のページ数に応じて決定する。
【００４０】
これとは異なり、印刷設定部３５は、タッチ位置の回転方向及び回転角度に比例又は反比例して印刷出力画像が増加又は減少する場合において、印刷出力画像の表示数に応じて印刷対象データに含まれる画像の割付状態を更新してもよい。すなわち、印刷設定部３５において、タッチ位置がある方向に所定角度移動する毎に印刷出力画像の表示数を１枚ずつ増加し、これとは逆の方向に所定角度移動する毎に印刷出力画像の表示数を１枚ずつ減少する構成を備え、印刷対象データのページ数に応じて画像の割付状態を更新する。例えば、時計回り方向にタッチ位置が１０度回転する毎に印刷出力画像の表示数を１枚ずつ増加し、これに対して反時計回り方向に１０度回転する毎に印刷出力画像の表示数を１枚ずつ減少する構成において、印刷対象データに含まれる画像が８０ページである場合、Ｎｉｎ１設定の初期画面において、タッチ位置を時計回り方向に４０度回転すると、印刷出力画像の表示数は４枚となる。そして、これに応じて、印刷対象データに含まれる全ての画像を４枚の印刷出力画像に割り付けられるように、各印刷出力画像に２０枚の画像を割り付けて割付状態を更新する（２０ｉｎ１）。
【００４１】
次に、上記のようなＮｉｎ１設定におけるＣＰＵ１１での具体的な処理手順について説明する。図６は、印刷設定装置１のＣＰＵ１１によって行われるＮｉｎ１設定の処理手順の一例を示すフローチャートである。
【００４２】
まず、ユーザーがタッチセンサ６ａ又は操作キー６ｂの操作を通じてＮｉｎ１設定を開始する旨の指示をすると（ステップＳ１）、印刷設定部３５が起動する（ステップＳ２）。そして、印刷設定部３５が起動すると、表示制御部３２は表示部５の表示画面Ｇ１上にＮｉｎ１設定の初期画面を表示する（ステップＳ３）。この初期画面では、図４（ａ）に示したとおり、印刷対象データに含まれる複数ページ分の画像が１枚の記録シートに割り付けられた状態でのプレビュー表示が行われる。表示部５にＮｉｎ１設定の初期画面が表示されると、ＣＰＵ１１は、ユーザーによるＮｉｎ１設定に関するタッチ操作を受け付け可能な状態となり、タッチセンサ６ａによりタッチ操作が検出されるまで待機する状態となる（ステップＳ４）。
【００４３】
ユーザーによるタッチ操作が検出されると（ステップＳ４でＹＥＳ）、ＣＰＵ１１は、タッチ操作がＮｉｎ１設定の終了を指示するものか否かを判断する（ステップＳ５）。すなわち、例えば前記タッチ操作が、Ｎｉｎ１設定をキャンセルする指示であったり、Ｎｉｎ１設定の内容を確定する指示であるなどの場合には（ステップＳ５でＹＥＳ）、ＣＰＵ１１は、Ｎｉｎ１設定に関する処理を終了する。
【００４４】
これに対して、タッチセンサ６ａにより検出されたタッチ操作がＮｉｎ１設定の終了を指示するものでない場合には（ステップＳ５でＮＯ）、検出されたタッチ操作がローテーションか否かを判断する（ステップＳ６）。操作検出部３４が検出されたタッチ操作をローテーションであると判断した場合には（ステップＳ６でＹＥＳ）、操作検出部３４は最初のタッチ位置からの回転方向及び回転角度を検出する（ステップＳ７）。そして、印刷設定部３５は、検出された回転方向及び回転角度に応じて表示部５に表示された印刷出力画像の表示数を増加又は減少させる（ステップＳ８）。さらに、印刷設定部３５は、増加又は減少した印刷出力画像の表示数に応じて、印刷対象データに含まれる１ページ又は複数ページ分の画像を印刷用紙等の記録シート１枚に割り付けることにより、割付状態を更新する（ステップＳ９）。
【００４５】
これに対して、検出されたタッチ操作がローテーションでないと判断した場合には（ステップＳ６でＮＯ）、ＣＰＵ１１は、当該タッチ操作がピンチアウト又はピンチインか否かを判断する（ステップＳ１０）。ここで、ピンチアウトとは、印刷出力画像上の２点をタッチした状態で当該２点のタッチ位置の距離を拡大する操作を指すものとする。また、ピンチインとは、印刷出力画像上の２点をタッチした状態で当該２点のタッチ位置の距離を縮小する操作を指すものとする。すなわち、ピンチアウトとピンチインとは、２点のタッチ位置の移動方向が異なる。
【００４６】
タッチ操作がピンチアウト又はピンチインでないと判断した場合には（ステップＳ１０でＮＯ）、ステップＳ４に戻り、再びユーザーによるタッチ操作が検出されるまで待機する状態となる（ステップＳ４）。これに対して、タッチ操作がピンチアウト又はピンチインであると判断した場合には（ステップＳ１０でＹＥＳ）、ピンチアウト処理又はピンチイン処理を行う（ステップＳ１１）。次に、ピンチアウト処理又はピンチイン処理について説明する。
【００４７】
図７は、ピンチアウト処理又はピンチイン処理の処理手順の一例を示すフローチャートである。上述したとおり、ピンチアウトとピンチインとは、２点のタッチ位置の移動方向が異なる。そこで、操作検出部３４は、２点のタッチ位置の移動方向によって、ピンチアウト又はピンチインが行われたことを検出する（ステップＳ１１）。そして、操作検出部３４がピンチアウト操作又はピンチイン操作を検出した場合、ＣＰＵ１１は、当該ピンチアウト操作又はピンチイン操作が１つの印刷出力画像内で行われたのか、又は複数の印刷出力画像に跨って行われたのかを判断する（ステップＳ２０）。ピンチアウト又はピンチイン操作が複数の印刷出力画像に跨って行われたと判断した場合（ステップＳ２０でＮＯ）、操作検出部３４が２点のタッチ位置間の距離の変化量を検出し（ステップＳ２１）、検出されたタッチ位置間の距離の変化量に応じて、印刷設定部３５は印刷出力画像の表示数を増加又は減少させる（ステップＳ２２）。そして、増加又は減少した印刷出力画像の表示数に応じて、印刷対象データに含まれる画像の割付状態を更新することにより印刷設定を更新する（ステップＳ２３）。上記処理手順に基づく具体的なピンチアウト処理又はピンチイン処理については、図８及び図９を用いて後ほど詳述する。
【００４８】
これに対して、ピンチアウト又はピンチイン操作が１つの印刷出力画像内で行われたと判断した場合には（ステップＳ２０でＹＥＳ）、操作検出部３４が２点のタッチ位置間の距離の変化量を検出し（ステップＳ２４）、２点のタッチ位置間の距離の変化量が増加している場合に、所定の変化量に達すると、１つの印刷出力画像内に割り付けられた印刷対象データ中に空白ページを挿入する。逆に、２点のタッチ位置間の距離の変化量が減少している場合に、所定の変化量に達すると、空白ページを削除する（ステップＳ２５）。これに伴い、印刷対象データに含まれる画像の割付状態を更新することにより印刷設定を更新する（ステップＳ２６）。上記処理手順に基づく具体的な空白ページの挿入又は削除処理については、図１０及び図１１を用いて後ほど詳述する。
【００４９】
図８は、複数の印刷出力画像に跨ってピンチアウト操作が行われた場合の表示画面の更新の一例を示す図である。例えば、表示部５の表示画面Ｇ１における印刷出力画像Ｔ３３及びＴ３４の２つの印刷出力画像に跨って２点のタッチ位置が検出されピンチアウト操作が行われた場合、タッチ位置間の距離の変化量に応じて印刷出力画像Ｔ３３とＴ３４の間に新たに印刷出力画像Ｔ３７とＴ３８を挿入し、印刷出力画像Ｔ３３とＴ３４との間における印刷出力画像の表示数は４つに増加する。そして、これに応じて、印刷出力画像Ｔ３３乃至Ｔ３４の間における印刷対象データに含まれる画像の割付状態が更新され、印刷設定が更新される。例えば、従前印刷出力画像Ｔ３３及びＴ３４にはそれぞれ８ページの画像が割り付けられていた場合（８ｉｎ１）、印刷出力画像Ｔ３３上の１点と印刷出力画像Ｔ３４上の１点をタッチ位置としてピンチアウト操作がされ、タッチ位置間の距離の変化量に応じて印刷出力画像Ｔ３７及びＴ３８が挿入された結果、印刷出力画像Ｔ３３乃至Ｔ３４の間においてそれぞれ４ページの画像が割り付けられる（４ｉｎ１）。
【００５０】
図９は、複数の印刷出力画像に跨ってピンチイン操作が行われた場合の一例を示す図である。例えば、表示部５の表示画面Ｇ１に表示された印刷出力画像Ｔ３１乃至Ｔ３４に跨って２点のタッチ位置が検出されピンチイン操作が行われた場合、タッチ位置間の距離の変化量に応じて印刷出力画像Ｔ３２及びＴ３３が消滅する結果、印刷出力画像の表示数は２つに減少する。そして、これに応じて、印刷出力画像Ｔ３１からＴ３４の間における印刷対象データに含まれる画像の割付状態が更新され、印刷設定が更新される。例えば、従前印刷出力画像Ｔ３１からＴ３４の間にはそれぞれ８ページの画像が割り付けられていた場合（８ｉｎ１）、印刷出力画像Ｔ３１上の１点と印刷出力画像Ｔ３４上の１点をタッチ位置としてピンチイン操作がされ、タッチ位置間の距離の変化量に応じて印刷出力画像Ｔ３２及びＴ３３が削除された結果、印刷出力画像Ｔ３１及びＴ３４にそれぞれ１６ページの画像が割り付けられる（１６ｉｎ１）。
【００５１】
このように複数の印刷対象画像に跨ってピンチアウト又はピンチイン操作が行われることにより、２点のタッチ位置の移動方向及び２点のタッチ位置間の距離の変化量に応じて当該複数の印刷出力画像における表示数が増加又は減少する。そして、これに応じて当該複数の印刷出力画像内において、印刷対象データに含まれる画像の割付状態が変更され、印刷設定が更新される。すなわち、ピンチアウト又はピンチイン操作の範囲外の印刷出力画像における画像の割付状態について変更を加えることなく、所望の部分についてのみ印刷出力画像における画像の割付状態を更新することが可能となる。なお、印刷出力画像の表示数は、ピンチアウト又はピンチイン操作による２点のタッチ位置間の距離の変化量の増加又は減少に比例して、増加又は減少する。
【００５２】
図１０は、１つの印刷出力画像内でピンチアウト操作が行われた場合の一例を示す図である。例えば、印刷出力画像Ｔ４０内に割り付けられた印刷対象データに含まれる画像Ｄ１及びＤ２においてそれぞれ１点のタッチ位置が検出され、これらのタッチ位置の間の距離が増加する方向に移動し、タッチ位置間の距離の変化量が所定の量に達すると、画像Ｄ１の直後のページに新たに空白の画像Ｄ３が挿入され、これに伴い画像Ｄ２の割付位置が更新される。すなわち、印刷出力画像Ｔ４０上に画像Ｄ３が挿入されることによって空白ページが発生し、他方、画像Ｄ２は、印刷出力画像Ｔ４０から印刷出力画像Ｔ４１上に割付位置が更新される。そして、これに応じて印刷設定が更新されるのである。
【００５３】
図１１は、１つの印刷出力画像内でピンチイン操作が行われた場合の一例を示す図である。例えば、印刷出力画像Ｔ４０内に割り付けられた印刷対象データに含まれる画像Ｄ１及び空白ページに該当する画像Ｄ２においてそれぞれ１点のタッチ位置が検出され、これらのタッチ位置の間の距離が減少する方向に移動し、タッチ位置間の距離の変化量が所定の量に達すると、空白ページに該当する画像Ｄ２が削除される。他方、画像Ｄ２の直後に位置していた画像Ｄ３の割付位置が、印刷対象データＤ２が存在していた位置に更新され、これに応じて印刷設定が更新される。
【００５４】
このように、１つの印刷出力画像内でピンチアウト又はピンチイン操作を行うことにより、印刷出力画像に割り付けられた画像と画像の間に空白ページを挿入し、又は画像と画像との間に存在する空白ページを削除することができる。そのため、１枚の印刷出力画像に割り付ける原稿の割付状況を、例えば原稿の区切りなどに応じて効率的に調整できる。
【００５５】
本実施形態において、２本の指をローテーション操作することによりＮｉｎ１設定における印刷出力画像の変更を行い、印刷設定の更新を行うことを説明した。しかし、本実施形態において、図１２に示すように、表示部５上の表示画面Ｇ２に表示された印刷出力画像Ｔ５０上の１点をタッチし、スライド操作することによりＮｉｎ１設定における印刷出力画像の変更を行い、印刷設定の更新をするよう構成してもよい。或いは、印刷出力画像Ｔ５０上の１点をタッチし、フリック操作することによりＮｉｎ１設定における印刷出力画像の変更を行い、印刷設定の更新をするよう構成してもよい。ここで、スライド操作とは、ユーザーが画面上の点をタッチした状態のまま、そのタッチ位置を移動させる操作をいう。また、フリック操作とは、ユーザーが画面上の点をタッチした状態のまま、そのタッチ位置を移動させながら画面上からリリースする操作をいう。図１２に示すように、スライド操作又はフリック操作により印刷出力画像Ｔ５０上の１点をタッチし、タッチ位置の移動方向及び移動距離に応じてＮｉｎ１設定を実行できるため、印刷出力画像上の２点をタッチしてＮｉｎ１設定を実行する場合と比較してより操作を簡素化できる。
【００５６】
次に、印刷設定装置１のＣＰＵ１１によって行われる拡大連写設定の処理手順及び具体例について説明する。図１３は、ＣＰＵ１１によって行われる拡大連写設定の処理手順の一例を示すフローチャートである。拡大連写設定とは、上述したとおり、印刷対象データに含まれる１枚の画像を複数に分割し、各分割画像を拡大して複数枚の記録シートに分割して割り付ける設定である。
【００５７】
まず、ユーザーがタッチセンサ６ａ又は操作キー６ｂを操作することにより拡大連写設定を指示すると（ステップＳ３０）、印刷設定部３５が起動して（ステップＳ３１）、表示制御部３２を通じて表示部５の表示画面上に拡大連写設定の初期画面を表示する（ステップＳ３２）。表示部５に拡大連写設定の初期画面が表示されると、ＣＰＵ１１は、ユーザーによる拡大連写に関するタッチ操作を受け付け可能な状態となり、タッチセンサ６ａによりタッチ操作が検出されるまで待機する状態となる（ステップＳ３３）。
【００５８】
ユーザーによるタッチ操作が検出されると（ステップＳ３３でＹＥＳ）、ＣＰＵ１１は、タッチ操作が拡大連写設定の終了を指示するものか否かを判断する（ステップＳ３４）。すなわち、例えば前記タッチ操作が、拡大連写設定をキャンセルする指示であったり、拡大連写設定の内容を確定する指示であるなどの場合には、ＣＰＵ１１は、拡大連写に関する処理を終了する。
【００５９】
これに対して、タッチセンサ６ａにより検出されたタッチ操作が拡大連写設定の終了を指示するものでない場合には（ステップＳ３４でＮＯ）、検出されたタッチ操作がスライド操作か否かを判断する（ステップＳ３５）。操作検出部３４において、検出されたタッチ操作がスライド操作ではないと判断した場合には（ステップＳ３５でＮＯ）、ステップＳ３３に戻り、再びユーザーによるタッチ操作が検出されるまで待機する状態となる（ステップＳ３３）。これに対して、操作検出部３４において、検出されたタッチ操作がスライド操作であると判断した場合には（ステップＳ３５でＹＥＳ）、最初のタッチ位置からの移動距離及び移動方向を検出する（ステップＳ３６）。そして、印刷設定部３５は、検出された移動距離及び移動方向に応じて表示部５に表示された印刷出力画像の表示数を増加又は減少させる（ステップＳ３７）。さらに、印刷設定部３５は、増加又は減少した印刷出力画像の表示数に応じて、印刷対象データに含まれる１ページの画像を分割し、分割された各画像を印刷用紙等の記録シート複数枚に割り付けることにより、割付状態を更新する（ステップＳ３８）。
【００６０】
次に、本実施形態における拡大連写設定の表示画面Ｇ１０の具体例を図１４乃至１６に示しつつ、拡大連写設定について説明する。
【００６１】
図１４（ａ）は、拡大連写設定の初期画面の一例を示す図である。印刷設定部３５は、ユーザーにより拡大連写設定の指示がなされると、初期画面として印刷対象データに含まれる１ページ分の画像Ｄ６０からなる印刷出力画像Ｔ６０を表示する。拡大連写設定による印刷設定の更新をする場合、表示画面Ｇ１０に表示される印刷出力画像Ｔ６０上の１点をタッチした状態で所望の方向にスライド操作を行う。スライド操作が行われると、操作検出部３４は、最初のタッチ位置を始点として、タッチ位置の移動方向及び移動距離を検出し、印刷設定部３５は、検出された移動方向及び移動距離に応じて印刷出力画像の表示数を増加又は減少させる。そして、この印刷出力画像の表示数に応じて画像Ｄ６０を分割して複数の記録シートに割り付けることにより割付状態を更新する。
【００６２】
図１４（ｂ）の例において、タッチ位置から矢印Ｆ５方向にスライド操作が検出されると、印刷設定部３５は、矢印Ｆ５方向への移動距離に応じて、印刷出力画像の表示数を縦横同数にて増加させ、印刷出力画像Ｔ６１乃至Ｔ６４を表示する。そして、印刷出力画像Ｔ６１乃至Ｔ６４に対し、画像Ｄ６０を分割して割り付けることにより割付状態を更新する。もっとも、縦横同数の印刷出力画像を増加するのは、画像Ｄ６０の縦横サイズの比率を維持しつつ拡大連写設定を行うためである。そこで、印刷対象データに含まれる画像の縦横サイズの比率を維持することなく、例えば横方向にスライド操作が行われた場合に、横方向にのみ印刷出力画像を増加するというオプションを設けてもよい。
【００６３】
図１５の例において、表示画面Ｇ１０に表示される印刷出力画像Ｔ７０の１点のタッチ位置から矢印Ｆ６方向にスライド操作が検出されると、印刷設定部３５は、矢印Ｆ６方向への移動距離に応じて、印刷出力画像の表示数を縦横同数にて増加させ、印刷出力画像Ｔ７１乃至Ｔ７４を表示する。そして、印刷出力画像Ｔ７１乃至Ｔ７４に対し、画像Ｄ７０を分割して割り付けることにより割付状態を更新する。もっとも、縦横同数の印刷出力画像を増加するのは、画像Ｄ７０の縦横サイズの比率を維持しつつ拡大連写設定を行うためである。そこで、印刷対象データに含まれる画像の縦横サイズの比率を維持することなく、例えば縦方向にのみ印刷出力画像を増加するというオプションを設けてもよい。
【００６４】
図１６の例において、表示画面Ｇ１０に表示される印刷出力画像Ｔ８０上の１点のタッチ位置から矢印Ｆ７方向にスライド操作が検出されると、印刷設定部３５は、矢印Ｆ７方向への移動距離に応じて、印刷出力画像の表示数を縦横同数にて増加させ、印刷出力画像Ｔ８１乃至Ｔ８９を表示する。そして、印刷出力画像Ｔ８１乃至Ｔ８９に対し、画像Ｄ８０を割り付けることにより割付状態を更新する。もっとも、縦横同数の印刷出力画像を増加するのは、画像Ｄ８０の縦横サイズの比率を維持しつつ拡大連写設定を行うためである。そこで、印刷対象データに含まれる画像の縦横サイズの比率を維持することなく、例えば縦方向及び横方向それぞれの方向への移動距離に応じて、縦方向及び横方向それぞれに印刷出力画像を増加するというオプションを設けてもよい。
【００６５】
このように、スライド操作によるタッチ位置の移動方向及び移動距離に応じて拡大連写の設定が可能であるため、簡便な操作方法により拡大連写設定を実行でき、印刷設定における効率性を図ることができる。
【００６６】
また、表示部５の表示画面Ｇ１０に常時印刷出力画像及び各印刷出力画像への画像の割付状態が表示されるため、これらの表示を確認しつつ所望の割付状態に調整することが可能となる。
【００６７】
さらに、画像の縦横の比率を維持しつつ、画像を分割して各印刷出力画像に割り付けることができるため、印刷された記録シートを合わせることにより、画像の縦横サイズの比率を維持したままの大型サイズのポスターを作成することが可能となる。もっとも、画像の縦横サイズの比率を維持することなく、画像を分割して各印刷出力画像に割り付けてもよい。この場合、ユーザーは所望の態様により、画像を各印刷出力画像に割り付けることができる。
【００６８】
図１７は、上述した実施形態とは別の実施形態を示す図であり、タッチ位置の移動方向により、Ｎｉｎ１設定と拡大連写設定とを切り替えて実行するものである。図１７（ａ）の表示画面Ｇ２０は、印刷対象データに含まれる画像Ｄ９０を表示した印刷出力画像Ｔ１００を構成要素とする。そして、印刷出力画像Ｔ１００上の任意の１点がタッチ位置として検出され、引き続き例えば矢印Ｆ８方向へのスライド操作によるタッチ位置の移動が検出されると、印刷設定部３５は、Ｎｉｎ１設定の実行を開始し、矢印Ｆ８方向へのタッチ位置の移動距離に応じて印刷出力画像の表示数を増加又は減少させる。例えば、図１７（ｂ）に示すように、矢印Ｆ８方向へのタッチ位置の移動が検出されることにより、印刷出力画像Ｔ１０１乃至Ｔ１０７を表示する。そして、印刷出力画像の表示数に応じて、印刷設定部３５は印刷対象データに含まれる画像の割付を更新することにより印刷設定を更新する。
【００６９】
これに対し、印刷出力画像Ｔ１００上の任意の１点がタッチ位置として検出され、引き続き例えば矢印Ｆ９方向へのスライド操作によるタッチ位置の移動が検出されると、印刷設定部３５は、拡大連写設定の実行を開始する。そして、矢印Ｆ９方向へのタッチ位置の移動距離に応じて印刷出力画像の表示数を増加又は減少させる。図１７（ｃ）に示すように、矢印Ｆ９方向への移動距離に応じて、印刷出力画像の表示数を縦横同数にて増加させ、印刷出力画像Ｔ１１０乃至Ｔ１１３を表示する。そして、印刷出力画像Ｔ１１０乃至Ｔ１１３に対し、画像Ｄ９０を分割して割り付けることにより割付状態を更新する。もっとも、画像Ｄ９０の縦横サイズの比率を維持することなく、例えば横方向にのみ印刷出力画像を増加するというオプションを設けてもよい。
【００７０】
このようにタッチ位置の移動方向によりＮｉｎ１設定と拡大連写設定とを切り替えて実行することにより、一連のタッチ操作によりＮｉｎ１設定及び拡大連写設定を実行することができるため、効率的な印刷設定が可能となる。
【００７１】
以上、本発明に関する実施形態について説明したが、本発明は上記実施形態において説明した内容のものに限られるものではなく、種々の変形例が適用可能である。
【００７２】
例えば、上記実施形態では、印刷設定装置１がＭＦＰ１００によって構成される場合を例示した。しかし、印刷設定装置１は、ＭＦＰに限られるものではなく、デスクトップ型パーソナルコンピュータなどの固定設置型の情報端末や、ノート型パーソナルコンピュータ、タブレット端末或いはスマートフォンなどの可搬型の情報端末も含まれる。なお、上記印刷設定装置１における機能は、ＭＦＰや上記情報端末にインストールされるプリンタドライバなどにより実現することも可能である。すなわち、上述したようにＣＰＵ１１を表示制御部３２、操作検出部３４及び印刷設定部３５として機能させるためのプログラム１３は、ＭＦＰだけでなく、上記情報端末のようなコンピュータにおいて実行されるものであっても構わない。
【００７３】
また、上記実施形態では、表示部５の表示画面に対する指でのタッチ操作による印刷設定を例示したが、これに限られるものではなく、タッチペンによるタッチ操作なども含まれる。さらに、表示画面への接触がなくともタッチ位置及びタッチ位置の移動が検出できるグローブによる遠隔操作なども含まれる。
【符号の説明】
【００７４】
１  印刷設定装置
４  操作パネル
５  表示部（表示手段）
１１  ＣＰＵ
２３  記憶装置（記憶部）
３２  表示制御部
３４  操作検出部（操作検出手段）
３５  印刷設定部（印刷設定手段）
【図１】
2015053623.tif 000003
【図２】
2015053623.tif 000004
【図３】
2015053623.tif 000005
【図４】
2015053623.tif 000006
【図５】
2015053623.tif 000007
【図６】
2015053623.tif 000008
【図７】
2015053623.tif 000009
【図８】
2015053623.tif 000010
【図９】
2015053623.tif 000011
【図１０】
2015053623.tif 000012
【図１１】
2015053623.tif 000013
【図１２】
2015053623.tif 000014
【図１３】
2015053623.tif 000015
【図１４】
2015053623.tif 000016
【図１５】
2015053623.tif 000017
【図１６】
2015053623.tif 000018
【図１７】
2015053623.tif 000019